(57)【特許請求の範囲】
【請求項１】
座板及び背板とを一体に連設した身体受け板と、この身体受け板を支持するために金属パイプ等の枠材で構成したフレーム構造の本体とを備えており、前記座板と背板とを構成する身体受け板は、１枚の素材樹脂板を折曲げることによって形成されている椅子であって、
前記座板の後端部でかつ左右両側部と、背板の下端部でかつ左右両端部とを互いに重ね合わせて、これら重なり合った部分を、重合用係合穴に対する重合用係合爪の嵌合によって連結している、
フレーム構造の椅子。
【発明の詳細な説明】
【０００１】
【発明の属する技術分野】
本発明は、フレーム構造の椅子に関するものである。
【０００２】
【従来の技術・発明が解決しようとする課題】
フレーム構造の椅子は折り畳みできるものと、折り畳みできないものとがあり、折り畳みできないものは、一般には、金属パイプによって座フレームと背フレームと脚フレームとを構成し、座フレームには座板を取付け、背フレームに背もたれを取り付けた構成になっている。
【０００３】
座板や背板を本体に取付ける手段として、実公平４−７８０１号公報には、ねじ止めを利用することが記載されている。
【０００４】
また、実公昭６３−５５７９号公報には、座フレームに、上向きに開口すると共に長手方向に延びる切欠き穴を空け、これに座の支持金具に設けた爪を嵌め込み、更に、座フレームに設けた別の穴に、前記支持金具の戻り移動を阻止するストッパーを嵌め入れることが記載されている。
【０００５】
他方、座板と背板とを一体に連設した構造のものがあり、その一例として、本願出願人は、特願平１１−２１７８６１号において、平板状の合成樹脂板を素材として、これを側面視Ｌ字状に折曲げることによって座板及び背板と成すことを提案した。
【０００６】
【０００７】
【０００８】
本発明は、この先願発明の改良に関する。
【０００９】
【課題を解決するための手段】
本願発明は、座板及び背板とを一体に連設した身体受け板と、この身体受け板を支持するために金属パイプ等の枠材で構成したフレーム構造の本体とを備えており、前記座板と背板とを構成する身体受け板は、１枚の素材樹脂板を折曲げることによって形成されている椅子であって、前記座板の後端部でかつ左右両側部と、背板の下端部でかつ左右両端部とを互いに重ね合わせて、これら重なり合った部分を、重合用係合穴に対する重合用係合爪の嵌合によって連結している。
【００１０】
【００１１】
【００１２】
【００１３】
【００１４】
【００１５】
【発明の作用・効果】
【００１６】
【００１７】
【００１８】
本発明は、１枚の素材樹脂板を折り曲げて座板及び背板と成すものであるため、座板と背板とが予め側面視略Ｌ字状となるように成形する場合に比べて、素材となる身体受け板を製造する金型を薄肉化・コンパクト化することができる。
【００１９】
また、座板と背もたれとの重合部は、重合用係合穴と重合用係合爪との嵌め合わせによって連結されており、座板と背板とを側面視略Ｌ字状の姿勢に保持するに当たってリベットのような固定具は不要であり、その結果、組立が簡単になると共に、廃棄後のリサイクル性にも優れている。
【００２０】
【００２１】
【００２２】
【００２３】
【発明の実施形態】
次に、本発明の実施形態を図面に基づいて説明する。
【００２４】
(1).第１実施形態（図１〜図８）
図１〜図８では第１実施形態（主たる実施形態）を示している。
【００２５】
i．概要
分離斜視図である図１に示すように、椅子は、座板２と背板３とが一体に連設された身体受け板（サポートシェル）１と、金属丸パイプ製のフレーム状本体４とを備えている。本体４は、座フレーム５と、脚フレーム６と、背フレーム７とから成っている。
【００２６】
図２のうち（Ａ）は身体受け板１を展開した状態の斜視図、（Ｂ）は（Ａ）の部分平面図、（Ｃ）は（Ｂ）の C-C視断面図である。身体受け板１は、ポリプロピレンのような汎用樹脂を素材として、射出成形法や反応成形法などで展開状態に製造される。
【００２７】
座板２と背板３とは巾狭で薄肉状の蝶番部８を介して一体に連続している。座板２及び背板３は予め曲がった変形した状態に成形されており、蝶番部８を挟んだ左右両側のコーナー部に、傾斜状に立ち上がった耳状の重合部２ａ，３ａを形成している。そして、身体受け板１を蝶番部８の箇所で折曲げて、重合部２ａ，３ａを後述する連結手段で連結することにより、座板２と背板３とは側面視略Ｌ字状の姿勢に保持される。
【００２８】
なお、前記先願に記載されているように、身体受け板１は、フラットな状態に成形してから、後から曲げ加工（或いは打ち抜き加工）を施しても良いことは言うまでもない。
【００２９】
ii．詳細な構造
次に、椅子の詳細な構造を図３以下の図面に基づいて説明する。
【００３０】
図３は椅子の正面図、図４は側面図、図５は平面図、図６のうち（Ａ）は図３のVI−VI視部分断面図、（Ｂ）は（Ａ）のＢ−Ｂ視図、図７のうち（Ａ）は図５のVIIA-VIIA 視断面図、（Ｂ）は図５のVIIB-VIIB 視断面図、（Ｃ）は要部分離図、（Ｄ）は（Ａ）及び（Ｂ）の D-D視断面図、（Ｅ）は（Ｃ）の部分側面図、図８は図３のVIII−VIII視断面図である。
【００３１】
例えば図５に示すように、座フレーム５は、平面視でハ字状の姿勢を成すサイドフレーム５ａと、左右サイドフレーム５ａを重合する前後一対のステー５ｂ，５ｃとを備えている。
【００３２】
左右サイドフレーム５ａの後部は、左右外側に広がりつつ斜め上向きに延びる傾斜部５ｄになっており、傾斜部５ｄに後部の脚フレーム６が一体に連続している。また、座フレーム５の左右傾斜部５ｄに、正面視で円弧状に形成された背フレーム７の端部を溶接によって固着している。
【００３３】
図６に示すように、背板３の重合部３ａには後ろ向きに突出する補強ボス９を設け、この補強ボス９に径違いで前後に開口した重合用係合穴１０を形成する一方、座板２の重合部２ａには、弾性変形によって前記重合用係合穴１０に嵌まり係合する重合用係合爪１１を一体に設けている。
【００３４】
なお、重合用係合穴１０と重合用係合爪１１とは一つの重合部２ａ，３ａに複数対ずつ設けても良い。また、重合用係合穴１０及び重合用係合爪１１とは別に、位置決め用のピンと穴とを設けることにより、重合用係合爪１１への負担を軽減することも可能である。
【００３５】
図７に示すように、座板２を座フレーム５に取付けるに当たっては、前後のステー５ｂ，５ｃに左右一対ずつの座用係合穴１２を上向き開口するように設ける一方、座板２の下面に、弾性変形によって前記座用係合穴１２に嵌まり係合する座用係合爪１３を一体に設けている。座用係合爪１３は、カラー１４を介して座用係合穴１２に嵌まっている。カラー１４は座板２に一体成形しても良い。
【００３６】
背板３は左右２ヶ所において背フレーム７に取付けられている。背板３の取付け手段は座板２と同じであり、図８に示すように、背フレーム７に設けた背用係合穴１５に、背板３に一体成形した背用係合爪１６を嵌め入れている。この場合も、背板３と背フレーム７とにはカラー１４を介在させている。
【００３７】
iii．実施形態の利点
ところで、人の体圧（体重）は座骨の部分で最も強く座板２に作用するため、強度的には、座板２は人の座骨が当たる部分を支持するのが好ましい。
【００３８】
そこで、後部ステー５ｃを人の座骨が当たる部分に設け、且つ、後部ステー５ｃにおける左右座用係合穴１２の間隔寸法Ｌを、平均的成人の左右座骨の間隔（約１２０ｍｍ程度）に設定している。
【００３９】
仮に、図７（Ａ）に点１７で示すように、座板２の後部を左右側部において支持していると、座板２は両端支持梁に近い状態になるため、座板２に対する荷重によって水平内向きの分力ｆ１が生じ、このため、座用係合爪１３には曲げ応力が発生し、その結果、座用係合爪１３の耐久性が低下する虞がある。
【００４０】
これに対して、本実施形態のように、後部での座用係合穴１２と座用係合爪１３とを座板３の底部に配置する、すなわち、左右の座用係合穴１２及び座用係合爪１３の間隔を狭めると、当該座用係合爪１３には荷重は殆ど掛からないため、座用係合爪１３の耐久性を向上することができる。
【００４１】
座板２の後部の左右両側縁は自由端になっているため、座板２が後部の箇所で撓み変形することが許容される。従って、座板２を着座した人の臀部にフィットするように変形させることが可能となり、座り心地を向上できる。
【００４２】
座板２の前部に掛かる荷重は小さいため、前部ステー５ｂの座用係合穴１２は座板２の左右両側部寄りに設けている。このため、座板２に適度の弾性を持たせて、クッション性を高めることができる。
【００４３】
なお、座板２及び背板３と本体４との間にカラー１４を介在させると、座板２は点接触に近い状態で本体４に支持されるため、座板２及び背板３の撓み変形を助長して、クッション性能を向上することができる。カラー１４として硬質ゴムやばねのような弾性体を使用すると、クッション性がより向上する。
【００４４】
本実施形態では、背フレーム７の上端と背板３との間に人の手の平を半分程度挿入できる隙間を空けている。このため、椅子を持ち上げたり移動させたりするのに便宜である。背フレーム７の上端を水平状に形成して、傘の柄などを引っ掛けることができるようにしても良い。
【００４５】
【００４６】
【００４８】
【００４９】
【００５０】
【００５１】
【００５２】
(2).第２実施形態（図12）
図９に示す第２実施形態では、座板２と背板３とにおける重合部２ａ，３ａの連結手段の別例として、座板２の重合部２ａに鉤状の重合用係合爪２７を設ける一方、背板３の重合部３ａに、当該背板３を座板２に向けて大きく倒すと重合用係合爪２７が嵌まる重合用係合穴２８を設けている。
【００５３】
この実施形態では、背板３を前向きに大きく倒すようにして身体受け板１を過度に曲げることにより、重合用係合爪２７を重合用係合穴２８に嵌め入れ、次いで、背板３を本来の姿勢に戻し、その状態で身体受け板１を本体４に取付ける。取付けた状態では、背板３は前傾しないため、重合部２ａ，３ａは連結状態に保持される。
【００５４】
【００５５】
【００５６】
(3).その他
本発明は更に様々に具体化できる。例えば、本体フレームの素材としては、角パイプや小判型のパイプ、楕円型のパイプ、棒材、型鋼などの様々の断面形状のもを使用できる。
【００５７】
また、本体フレームの形状も様々に変形可能である。例えば、脚フレームの形態を例に取ると、４本足タイプに限らず、側面視台形状（或いは四角形状）や側面視コ字状など、様々の形態を採用できる。
【００５８】
【００５９】
【図面の簡単な説明】
【図１】第１実施形態の分離斜視図である。
【図２】 (A)は身体受け板の展開状態の斜視図、 (B)は部分平面図、 (C)は (B)の C-C視断面図である。
【図３】椅子の正面図である。
【図４】椅子の側面図である。
【図５】椅子の平面図である。
【図６】 (A)は図３のVI−VI視部分断面図、 (B)は (A)の B-B視図である。
【図７】図５のVIIA-VIIA 視及びVIIB-VIIB 視断面図、 (C)は要部分離図、 (D)は (A)及び (B)の D-D視断面図、(E) は (C)の部分側面図である。
【図８】図３のVIII−VIII視断面図である。
【図９】第２実施形態を示す図である。
【符号の簡単な説明】
１  身体受け板
２  座板
３  背板
４  本体
５  座フレーム
６  脚フレーム
７  背フレーム
８  蝶番部
１０，２８ 重合用係合穴
１１，２７ 重合用係合爪
１４  カラー
【図１】
0003654584.tif 000002
【図２】
0003654584.tif 000003
【図３】
0003654584.tif 000004
【図４】
0003654584.tif 000005
【図５】
0003654584.tif 000006
【図６】
0003654584.tif 000007
【図７】
0003654584.tif 000008
【図８】
0003654584.tif 000009
【図９】
0003654584.tif 000010